(57)【要約】【課題】優れた作業性と安価な施工コストとを実現しつつ、金属サンドイッチパネルを下地材に強固に固定することができる金属サンドイッチパネル用ビスを提供する。【解決手段】第１板材８１と第２板材８２との間に芯材８３を有する金属サンドイッチパネル８０を支柱８４に固定するための金属サンドイッチパネル用ビス１０である。この金属サンドイッチパネル用ビス１０の軸部２には、頭部１の底面１ａから軸方向に第１板材８１及び芯材８３の厚み分の長さＬ１だけ離反し、雄ねじ２ａにおけるねじ山の径Ｄ１よりも大きく、頭部１の径Ｄ３よりも小さい径Ｄ２のストップ面３ａをもつストッパ３と、ストッパ３より先端側に位置し、第１板材８１を通過するまではストップ面３ａの径Ｄ２と略等しい径をなし、第２板材８２を通過するまでに少なくとも小径になる切刃４ａをもつリーマ４とが設けられている。【選択図】図１
2005214245.tif 000002
【特許請求の範囲】
【請求項１】
頭部と、該頭部と一体をなして軸方向に延び、雄ねじが形成された軸部とを有し、
表面を構成する金属製の第１板材と、裏面を構成する金属製の第２板材と、該第１板材と該第２板材との間に一体に設けられた芯材とを有する金属サンドイッチパネルに対して用いられ、
該金属サンドイッチパネルを下地材に固定するための金属サンドイッチパネル用ビスにおいて、
前記軸部には、前記頭部の底面から軸方向に前記第１板材及び前記芯材の厚み分だけ離反し、前記雄ねじにおけるねじ山の径よりも大きく、該頭部の径よりも小さい径のストップ面をもつストッパと、該ストッパより先端側に位置し、該第１板材を通過するまでは該ストップ面の径と略等しい径をなし、前記第２板材を通過するまでに少なくとも小径になる切刃をもつリーマとが設けられていることを特徴とする金属サンドイッチパネル用ビス。
【請求項２】
前記リーマの前記切刃は、前記第１板材を通過した後、前記第２板材に達するまでに、前記軸部より脱落するものであることを特徴とする請求項１記載の金属サンドイッチパネル用ビス。
【請求項３】
前記リーマは、前記ストッパに隣接して設けられていることを特徴とする請求項１又は２記載の金属サンドイッチパネル用ビス。
【請求項４】
前記ストッパは前記軸部に一体に形成されていることを特徴とする請求項１乃至３のいずれか１項記載の金属サンドイッチパネル用ビス。
【請求項５】
前記芯材は、断熱材、充填材、樹脂片、木片又は中空であることを特徴とする請求項１乃至４のいずれか１項記載の金属サンドイッチパネル用ビス。
【発明の詳細な説明】
【技術分野】
【０００１】
本発明は金属サンドイッチパネル用ビスに関する。
【背景技術】
【０００２】
建築用壁板としての金属サンドイッチパネルが特許文献１に開示されている。この金属サンドイッチパネルは、表面を構成する金属製の第１板材と、裏面を構成する金属製の第２板材と、第１板材と該第２板材との間に一体に設けられた芯材としての断熱材を有するものである。この金属サンドイッチパネルは木材からなる支柱等の下地材にビスによって固定される。特許文献１開示のビスは、頭部と、この頭部と一体をなして軸方向に延び、雄ねじが形成された軸部とからなる通常のものである。こうして、この金属サンドイッチパネルは建築物の壁を簡易に構成する。
【０００３】
【特許文献１】特開平７−２４７６５６
【発明の開示】
【発明が解決しようとする課題】
【０００４】
しかし、通常のビスによって金属サンドイッチパネルを下地材に固定する場合、そのビスは、その頭部の底面によって金属サンドイッチパネルの表面側の第１板材を押圧するだけであり、金属サンドイッチパネルの裏面側の第２板材をほとんど押圧することができない。このため、金属サンドイッチパネルを下地材に強固に固定することができない。
【０００５】
この通常のビスによりあえて金属サンドイッチパネルを下地材に強固に固定しようとすれば、頭部が金属サンドイッチパネルの表面側の第１板材に食い込む程にそのビスをねじ込まなければならず、作業性が悪い。また、この場合、金属サンドイッチパネルの第１板材に凹部が生じてしまい、第１板材に塗り仕上げ材やタイル等を施工し難くなり、やはり作業性に難点を有することとなってしまう。また、その凹部を隠蔽するため、上方に施工される金属サンドイッチパネルに下方に垂れる隠蔽部を形成したり、部分的に厚く塗り仕上げ材を塗布したりする等、凹部を隠蔽する他の工夫が必要になり、施工コストが高騰化してしまう。特許文献１の金属サンドイッチパネルはそのような隠蔽部を有しており、この場合には任意の場所にビスを打ち込むことができないことから、施工後の壁の強度を確保するために金属サンドイッチパネルが小型化してしまい、この点においてやはり施工コストの高騰化を生じるのである。
【０００６】
また、金属サンドイッチパネルの第２板材に予め下穴を開け、この下穴を用いて第２板材を下地材に押圧するとしても、その場合には、金属サンドイッチパネルの表面側から作業を行い難いという不具合と、限られた位置でしか第２板材を下地材に押圧できないことに起因する施工コストの高騰化の不具合とが残ってしまうのである。
【０００７】
本発明は、上記従来の実情に鑑みてなされたものであって、優れた作業性と安価な施工コストとを実現しつつ、金属サンドイッチパネルを下地材に強固に固定することができる金属サンドイッチパネル用ビスを提供することを解決すべき課題としている。
【課題を解決するための手段】
【０００８】
本発明の金属サンドイッチパネル用ビスは、頭部と、該頭部と一体をなして軸方向に延び、雄ねじが形成された軸部とを有し、
表面を構成する金属製の第１板材と、裏面を構成する金属製の第２板材と、該第１板材と該第２板材との間に一体に設けられた芯材とを有する金属サンドイッチパネルに対して用いられ、
該金属サンドイッチパネルを下地材に固定するための金属サンドイッチパネル用ビスにおいて、
前記軸部には、前記頭部の底面から軸方向に前記第１板材及び前記芯材の厚み分だけ離反し、前記雄ねじにおけるねじ山の径よりも大きく、該頭部の径よりも小さい径のストップ面をもつストッパと、該ストッパより先端側に位置し、該第１板材を通過するまでは該ストップ面の径と略等しい径をなし、前記第２板材を通過するまでに少なくとも小径になる切刃をもつリーマとが設けられていることを特徴とする。
【０００９】
本発明の金属サンドイッチパネル用ビスは、頭部と、この頭部と一体をなして軸方向に延び、雄ねじが形成された軸部とを有しており、金属サンドイッチパネルを下地材に固定するために用いられる。金属サンドイッチパネルは、表面を構成する金属製の第１板材と、裏面を構成する金属製の第２板材と、第１板材と第２板材との間に一体に設けられた芯材とを有している。
【００１０】
この金属サンドイッチパネル用ビスは軸部にストッパとリーマとが設けられている。ストッパは、頭部の底面から軸方向に第１板材及び芯材の厚み分だけ離反し、雄ねじにおけるねじ山の径よりも大きく、頭部の径よりも小さい径のストップ面をもっている。また、リーマは、ストッパより先端側に位置し、第１板材を通過するまではストップ面の径と略等しい径をなし、第２板材を通過するまでに少なくとも小径になる切刃をもっている。
【００１１】
このため、この金属サンドイッチパネル用ビスを金属サンドイッチパネルの表面からねじ込むと、まずリーマにより第１板材にストップ面の径と略等しい径の穴があき、ストッパは第１板材を通過することができる。そして、このリーマの切刃は第２板材を通過するまでに少なくとも小径になるため、第２板材にはストップ面の径と略等しい径の穴があくことはなく、ストッパは第２板材を通過することができない。
【００１２】
こうして、この金属サンドイッチパネル用ビスによって金属サンドイッチパネルを下地材に固定する場合、そのビスは、その頭部の底面によって金属サンドイッチパネルの表面側の第１板材を押圧するとともに、ストッパのストップ面によって金属サンドイッチパネルの裏面側の第２板材も押圧することができる。このため、頭部が金属サンドイッチパネルの第１板材に食い込む程にそのビスをねじ込まなくても、金属サンドイッチパネルを下地材に強固に固定することができる。
【００１３】
また、この場合、金属サンドイッチパネルの第１板材に凹部が生じることがないため、第１板材に塗り仕上げ材やタイル等を施工し易い。さらに、金属サンドイッチパネルの第２板材に予め下穴を開ける必要もなく、金属サンドイッチパネルの表面側から作業を行うことができる。こうしてこのビスは優れた作業性を実現する。
【００１４】
さらに、この場合、凹部を隠蔽する他の工夫が不要になる。また、ビスをねじ込む位置が限定されることはなく、金属サンドイッチパネルを大型化しても施工後の壁の強度を確保することが可能となる。こうしてこのビスは施工コストの低廉化も実現できる。
【００１５】
したがって、このビスによれば、優れた作業性と安価な施工コストとを実現しつつ、金属サンドイッチパネルを下地材に強固に固定することができるのである。
【００１６】
リーマの切刃は、第１板材を通過した後、第２板材に達するまでに、軸部より脱落するものであることが好ましい。これにより、第２板材にあけられる穴の径は雄ねじにおけるねじ山の径と略等しくなるため、ストップ面と第２板材との接触面積が大きくなる。そのため、第２板材はより確実に下地材に固定される。
【００１７】
リーマはストッパに隣接して設けられていることが好ましい。この場合、リーマより先端側の軸部は雄ねじを有するだけになる。これにより、雄ねじが下地材に確実にねじ込まれ、金属サンドイッチパネルを下地材に確実に固定することができる。
【００１８】
ストッパは軸部と別体で設けられていてもよく、軸部と一体に形成されていてもよい。ストッパが軸部と一体に形成されていることが製造コストの点で好ましい。
【００１９】
芯材は、断熱材、充填材、樹脂片、木片又は中空であり得る。芯材が断熱材であれば、外断熱が可能な壁面を容易に施工することができる。
【発明を実施するための最良の形態】
【００２０】
以下、本発明の金属サンドイッチパネル用ビスを具体化した実施例を図面を参照しつつ説明する。
【００２１】
図１に示すように、本実施例の金属サンドイッチパネル用ビス１０は、頭部１と、頭部１と一体をなして軸方向に延び、雄ねじ２ａが形成された軸部２とを有している。この金属サンドイッチパネル用ビス１０は、図２に示すように、金属サンドイッチパネル８０を支柱８４に固定するために用いられる。
【００２２】
金属サンドイッチパネル８０は、表面を構成する金属製の第１板材８１と、裏面を構成する金属製の第２板材８２と、第１板材８１と第２板材８２との間に一体に設けられたポリウレタンフォーム等の断熱材としての芯材８３とを有する。ここで、木材からなる支柱８４が下地材である。
【００２３】
図１に示すように、金属サンドイッチパネル用ビス１０の軸部２には、ストッパ３とリーマ４とが設けられている。
【００２４】
ストッパ３は、頭部１の底面１ａから軸方向に第１板材８１及び芯材８３の厚み分の長さＬ１だけ離れた位置に設けられ、雄ねじ２ａにおけるねじ山の径Ｄ１よりも大きく、頭部１の径Ｄ３よりも小さい径Ｄ２のストップ面３ａをもっている。このストッパ３は軸部２と一体に成形されている。
【００２５】
リーマ４はストッパ３に隣接して軸部２に一体に成形されている。つまり、リーマ４より先端の軸部２は雄ねじ２ａを有しているだけである。このリーマ４は、第１板材８１を通過するまではストップ面３ａの径Ｄ２と等しい径をなし、第２板材８２を通過するまでに軸部２より脱落する２枚の切刃４ａをもっている。また、頭部１の頂面１ｂには図示しないドライバ等と係合する係合凹部１ｃが凹設されている。
【００２６】
この金属サンドイッチパネル用ビス１０を用いて、金属サンドイッチパネル８０を支柱８４に固定する方法について説明する。まず、図２に示すように、金属サンドイッチパネル８０を支柱８４に当接させる。そして、図示しないドライバ等の先端部を金属サンドイッチパネル用ビス１０の係合凹部１ｃに係合させ、金属サンドイッチパネル用ビス１０の軸部２の先端部を所定の位置に合わせる。
【００２７】
次に、図３に示すように、ドライバ等により金属サンドイッチパネル用ビス１０を回転させてねじ込むと、軸部２が金属サンドイッチパネル８０を貫通するとともに、リーマ４の切刃４ａにより第１板材８１にストップ面３ａの径Ｄ２と略等しい径の穴８１ａがあけられる。
【００２８】
さらに、金属サンドイッチパネル用ビス１０をねじ込むと、図４に示すように、ストッパ３はこの穴８１ａを通過して芯材８３中に進入する。そして、軸部２が支柱８４にねじ込まれるとともに、リーマ４の２枚の切刃４ａが脱落する。
【００２９】
さらに、金属サンドイッチパネル用ビス１０をねじ込むと、図５に示すように、ストッパ３のストップ面３ａが第２板材８２に当接し、金属サンドイッチパネル用ビス１０の回転が停止する。この際、頭部１の底面１ａから軸方向に第１板材８１及び芯材８３の厚み分の長さＬ１だけ離れた位置にストッパ３のストップ面３ａが設けられているため、穴８１ａは頭部１により塞がれる。
【００３０】
こうして、この金属サンドイッチパネル用ビス１０によって金属サンドイッチパネル８０を支柱８４に固定する場合、このビス１０は、頭部１の底面１ａによって金属サンドイッチパネル８０の表面側の第１板材８１を押圧するとともに、ストッパ３のストップ面３ａによって金属サンドイッチパネル８０の裏面側の第２板材８２も押圧することができる。このため、頭部１が金属サンドイッチパネル８０の第１板材８１に食い込む程にビス１０をねじ込まなくても、金属サンドイッチパネル８０を支柱８４に強固に固定することができる。
【００３１】
また、この場合、金属サンドイッチパネル８０の第１板材８１に凹部が生じることがないため、第１板材８１に塗り仕上げ材やタイル等を施工し易い。さらに、金属サンドイッチパネル８０の第２板材８２に予め下穴を開ける必要もなく、金属サンドイッチパネル８０の表面側から作業を行うことができる。こうしてこのビス１０は優れた作業性を実現する。
【００３２】
さらに、この場合、金属サンドイッチパネル８０の第１板材８１に凹部が生じることがないため、凹部を隠蔽する他の工夫が不要になる。また、ビス１０をねじ込む位置が限定されることはなく、金属サンドイッチパネル８０を大型化しても施工後の壁の強度を確保することが可能となる。こうしてこのビス１０は施工コストの低廉化も実現できる。
【００３３】
したがって、本実施例の金属サンドイッチパネル用ビス１０によれば、優れた作業性と安価な施工コストとを実現しつつ、金属サンドイッチパネル８０を支柱８４に強固に固定することができる。
【００３４】
以上において、本発明を実施例に即して説明したが、本発明は上記実施例に限定されるものではなく、その要旨を逸脱しない範囲で適宜変更して適用できることはいうまでもない。
【００３５】
例えば、上記実施例の金属サンドイッチパネル用ビス１０は、ストッパ３を軸部２と一体としたが、軸部２に環状の溝を設け、この溝に嵌る割りワッシャ形状のストッパ３を軸部２と別体に設けることもできる。
【００３６】
また、図６に示すように、ローレット１３ａを有するストッパ１３を設けた金属サンドイッチパネル用ビス２０とすることができる。
【００３７】
また、図７に示すように、軸部２のリーマ４と頭部１との間に、先端側より径を大きくした大径部３２を設け、この大径部３２の端面をストップ面３２ａとした金属サンドイッチパネル用ビス３０とすることもできる。
【００３８】
さらに、図８に示すように、リーマ４をストッパ３に隣接した位置より軸部２の先端側に設けた金属サンドイッチパネル用ビス４０とすることもできる。
【産業上の利用可能性】
【００３９】
本発明は金属サンドイッチパネルを支柱に固定する場合に利用可能である。
【図面の簡単な説明】
【００４０】
【図１】実施例の金属サンドイッチパネル用ビスの正面図である。
【図２】実施例の金属サンドイッチパネル用ビスに係り、金属サンドイッチパネルを下地材に固定する前の状態を示す断面図である。
【図３】実施例の金属サンドイッチパネル用ビスに係り、リーマが金属サンドイッチパネルの第１板材を通過中の状態を示す断面図である。
【図４】実施例の金属サンドイッチパネル用ビスに係り、リーマが金属サンドイッチパネル内で脱落した状態を示す断面図である。
【図５】実施例の金属サンドイッチパネル用ビスに係り、金属サンドイッチパネルを下地材に固定した後の状態を示す断面図である。
【図６】変形例の金属サンドイッチパネル用ビスの正面図である。
【図７】変形例の金属サンドイッチパネル用ビスの正面図である。
【図８】変形例の金属サンドイッチパネル用ビスの正面図である。
【符号の説明】
【００４１】
１０、２０、３０、４０…金属サンドイッチパネル用ビス
１…頭部
１ａ…底面
２…軸部
２ａ…雄ねじ
３、１３…ストッパ
３ａ、３２ａ…ストップ面
４…リーマ
４ａ…切刃
８０…金属サンドイッチパネル
８１…第１板材
８２…第２板材
８３…芯材
８４…下地材（支柱）
【図１】
2005214245.tif 000003
【図２】
2005214245.tif 000004
【図３】
2005214245.tif 000005
【図４】
2005214245.tif 000006
【図５】
2005214245.tif 000007
【図６】
2005214245.tif 000008
【図７】
2005214245.tif 000009
【図８】
2005214245.tif 000010